(57)【特許請求の範囲】
【請求項１】
スターターおよび安定器を含むランプホルダー中に取り付けられることに適した発光ダイオード（light-emitting diode = ＬＥＤ）チューブであって、前記ＬＥＤチューブが：
ＬＥＤアレイと；
前記ＬＥＤアレイに連結され、操作電圧のもとに操作されて前記ＬＥＤアレイを駆動するＬＥＤドライバーと；
整流阻止ダイプレクサーであり、前記スターターおよび前記安定器に個別に並列接続されるとともに、前記ＬＥＤドライバーに連結されて、前記ＬＥＤドライバーが前記ＬＥＤアレイを駆動する時、前記整流阻止ダイプレクサーが前記スターターならびに前記安定器を無効にすると同時に、交流（alternating current = AC）電源供給を受信かつ変換して、前記操作電圧を前記ＬＥＤドライバーに提供する、整流阻止ダイプレクサーと
を備え、
前記整流阻止ダイプレクサーが：
第１端、第２端および第３端を備える第１整流ユニットと；
第４端ならびに第５端を備え、前記第３端が前記第４端に連結される第２整流ユニットと；
第６端および第７端を備える第３整流ユニットと；
第８端、第９端ならびに第１０端を備え、そのうち、前記第７端が前記第８端に連結される第４整流ユニットとを備え、
そのうち、前記スターターの両端がそれぞれ前記第２端および前記第９端に並列接続されるとともに、前記安定器が前記AC電源供給を介して前記第４端ならびに前記第７端に並列接続される、ＬＥＤチューブ。
【請求項２】
前記ＬＥＤドライバーが、第１入力端および第２入力端を備えて、前記操作電圧を受信し、前記第１入力端が前記第１端および前記第１０端に連結されるとともに、前記第２入力端が前記第５端ならびに前記第６端に連結される請求項１記載のＬＥＤチューブ。
【請求項３】
前記第１整流ユニットが第１ダイオードおよび第２ダイオードを備え、前記第２整流ユニットが第３ダイオードを備え、前記第１ダイオードのカソードが前記第１端に連結され、前記第１ダイオードのアノードならびに前記第２ダイオードのカソードが前記第２端に連結され、前記第２ダイオードのアノードが前記第３端に連結され、前記第３ダイオードのカソードが前記第４端に連結されるとともに、前記第３ダイオードのアノードが前記第５端に連結される請求項１または２記載のＬＥＤチューブ。
【請求項４】
前記第３整流ユニットが第４ダイオードを備え、前記第４整流ユニットが第５ダイオードおよび第６ダイオードを備え、前記第４ダイオードのアノードが前記第６端に連結され、前記第４ダイオードのカソードが前記第７端に連結され、前記第５ダイオードのアノードが前記第８端に連結され、前記第５ダイオードのカソードならびに前記第６ダイオードのアノードが前記第９端に連結され、かつ前記第６ダイオードのカソードが前記第１０端に連結される請求項３記載のＬＥＤチューブ。
【請求項５】
前記第１整流ユニットが第１ダイオードおよび第２ダイオードを備え、前記第２整流ユニットが第３ダイオードを備え、前記第１ダイオードのアノードが前記第１端に連結され、前記第１ダイオードのカソードならびに前記第２ダイオードのアノードが前記第２端に連結され、前記第２ダイオードのカソードが前記第３端に連結され、前記第３ダイオードのアノードが前記第４端に連結され、前記第３ダイオードのカソードが前記第５端に連結される請求項１または２記載のＬＥＤチューブ。
【請求項６】
前記第３整流ユニットが第４ダイオードを備え、前記第４整流ユニットが第５ダイオードおよび第６ダイオードを備え、前記第４ダイオードのカソードが前記第６端に連結され、前記第４ダイオードのアノードが前記第７端に連結され、前記第５ダイオードのカソードが前記第８端に連結され、前記第５ダイオードのアノードならびに前記第６ダイオードのカソードが前記第９端に連結され、かつ前記第６ダイオードのアノードが前記第１０端に連結される請求項５記載のＬＥＤチューブ。
【請求項７】
スターターおよび安定器を備えるランプホルダーと；
前記ランプホルダー中に取り付けられることに適したＬＥＤチューブとを含むＬＥＤランプであって、そのうち、前記ＬＥＤチューブが：
ＬＥＤアレイと；
前記ＬＥＤアレイに連結され、操作電圧のもとに操作されて前記ＬＥＤアレイを駆動するＬＥＤドライバーと；
前記スターターおよび前記安定器に個別に並列接続されるとともに、前記ＬＥＤドライバーに連結される整流阻止ダイプレクサーであって、前記ＬＥＤドライバーが前記ＬＥＤアレイを駆動する時、前記整流阻止ダイプレクサーが前記スターターならびに安定器を無効にすると同時に、交流（alternating current = AC）電源供給を受信かつ変換して、前記操作電圧を前記ＬＥＤドライバーに提供する、整流阻止ダイプレクサーと
を備え、
前記整流阻止ダイプレクサーが：
第１端、第２端および第３端を備える第１整流ユニットと；
第４端ならびに第５端を備え、前記第３端が前記第４端に連結される第２整流ユニットと；
第６端および第７端を備える第３整流ユニットと；
第８端、第９端ならびに第１０端を備え、そのうち、前記第７端が前記第８端に連結される第４整流ユニットとを備え、
そのうち、前記スターターの両端がそれぞれ前記第２端および前記第９端に並列接続されるとともに、前記安定器が前記AC電源供給を介して前記第４端ならびに前記第７端に並列接続される、ＬＥＤランプ。
【請求項８】
前記ＬＥＤドライバーが、第１入力端および第２入力端を備えて、前記操作電圧を受信し、前記第１入力端が前記第１端および前記第１０端に連結され、かつ前記第２入力端が前記第５端ならびに前記第６端に連結される請求項７記載のＬＥＤランプ。
【請求項９】
前記第１整流ユニットが第１ダイオードおよび第２ダイオードを備え、前記第２整流ユニットが第３ダイオードを備え、前記第１ダイオードのカソードが前記第１端に連結され、前記第１ダイオードのアノードならびに前記第２ダイオードのカソードが前記第２端に連結され、前記第２ダイオードのアノードが前記第３端に連結され、前記第３ダイオードのカソードが前記第４端に連結されるとともに、前記第３ダイオードのアノードが前記第５端に連結される請求項７または８記載のＬＥＤランプ。
【請求項１０】
前記第３整流ユニットが第４ダイオードを備え、前記第４整流ユニットが第５ダイオードおよび第６ダイオードを備え、前記第４ダイオードのアノードが前記第６端に連結され、前記第４ダイオードのカソードが前記第７端に連結され、前記第５ダイオードのアノードが前記第８端に連結され、前記第５ダイオードのカソードならびに前記第６ダイオードのアノードが前記第９端に連結され、かつ前記第６ダイオードのカソードが前記第１０端に連結される請求項９記載のＬＥＤランプ。
【請求項１１】
前記第１整流ユニットが第１ダイオードおよび第２ダイオードを備え、前記第２整流ユニットが第３ダイオードを備え、前記第１ダイオードのアノードが前記第１端に連結され、前記第１ダイオードのカソードならびに前記第２ダイオードのアノードが前記第２端に連結され、前記第２ダイオードのカソードが前記第３端に連結され、前記第３ダイオードのアノードが前記第４端に連結され、前記第３ダイオードのカソードが前記第５端に連結される請求項７または８記載のＬＥＤランプ。
【請求項１２】
前記第３整流ユニットが第４ダイオードを備え、前記第４整流ユニットが第５ダイオードおよび第６ダイオードを備え、前記第４ダイオードのカソードが前記第６端に連結され、前記第４ダイオードのアノードが前記第７端に連結され、前記第５ダイオードのカソードが前記第８端に連結され、前記第５ダイオードのアノードならびに前記第６ダイオードのカソードが前記第９端に連結され、かつ前記第６ダイオードのアノードが前記第１０端に連結される請求項１１記載のＬＥＤランプ。
【発明の詳細な説明】
【技術分野】
【０００１】
この発明は、光源に関し、特に、チューブ（tube）ならびにランプ（lamp）に関する。
【背景技術】
【０００２】
半導体技術の進歩にともない、発光ダイオード（light emitting diodes = LEDs）の輝度および効率が引き続き増大している。LEDsは、新しいタイプの冷光源であり、長寿命、小さい容積、低い電力消費、低い汚染、高い信頼性、大量生産に適しているなどの利点を有している。LEDsは、広範な領域において応用することができる。
【発明の概要】
【発明が解決しようとする課題】
【０００３】
従来の蛍光ランプは、家庭用ならびに商業的応用において最も広範に使用されている。しかし、現行のLEDチューブは、蛍光チューブに直接取り替えることができないので、グリーンテクノロジーの発展におけるボトルネックとなっている。図１は、LEDチューブの従来の取り付けを示す概略的説明図である。図１において、もしLEDチューブ１３０が現存する蛍光チューブに置き換えられるのであれば、ランプ１００のスターター１１０が追加的に除去されるとともに、安定器１２０が短絡されなければならない。ランプの改造が追加的なコストおよび多くの時間を必要とするため、LEDチューブ１３０が簡単に設置できず、それによってグリーンテクノロジーの発展が妨げられている。
【０００４】
LEDチューブの取り付けが不便である問題を解決するために、蛍光チューブの取り替えに類似した以下の方式でLEDチューブの取り付けを実現する。LEDチューブの電極柱がランプホルダーに挿入されるとともに、LEDチューブがその定位置まで回転されて、LEDチューブが容易に取り付けられる。
【課題を解決するための手段】
【０００５】
そこで、この発明は、スターターおよび安定器を含むランプホルダー中に直接設置することに適したLEDチューブを提供することにある。この発明のLEDチューブがLEDアレイとLEDドライバーと整流阻止ダイプレクサーとを含む。LEDドライバーがLEDアレイに連結され、操作電圧のもとで操作されてLEDアレイを駆動する。整流阻止ダイプレクサーが、スターターおよび安定器に個別に並列接続されるとともに、前記LEDドライバーに連結されて、LEDドライバーがLEDアレイを駆動する際、整流阻止ダイプレクサーがスターターならびに安定器を無効（disable）にすると同時に、交流（alternating current = AC）電源供給を受信かつ変換して、操作電圧を前記LEDドライバーに提供する。
【０００６】
この発明は、更に、ランプホルダーとLEDチューブとを含むLEDランプを提供する。ランプホルダーがスターターおよび安定器を含む。LEDチューブがランプホルダー上に直接配置されることに適している。LEDチューブがLEDアレイとLEDドライバーと整流阻止ダイプレクサーとを含む。LEDドライバーがLEDアレイに連結され、操作電圧のもとで操作されてLEDアレイを駆動する。整流阻止ダイプレクサーがスターターおよび安定器に個別に並列接続されるとともに、前記LEDドライバーに連結されて、LEDドライバーがLEDアレイを駆動する際、整流阻止ダイプレクサーがスターターならびに安定器を無効にすると同時に、交流（AC）電源供給を受信かつ変換して、操作電圧を前記LEDドライバーに提供する。
【０００７】
この発明の実施形態に従い、整流阻止ダイプレクサーが：第１端、第２端および第３端を備える第１整流ユニットと；第４端ならびに第５端を備え、そのうち、第３端が第４端に連結される第２整流ユニットと；第６端および第７端を備える第３整流ユニットと；第８端、第９端ならびに第１０端を備え、そのうち、第７端が第８端に連結される第４整流ユニットとを備え、そのうち、スターターの両端がそれぞれ第２端および第９端に並列接続されるとともに、安定器がAC電源供給を介して第４端ならびに第７端に並列接続される。
【０００８】
この発明の実施形態に従い、LEDドライバーが、第１入力端および第２入力端を備えて、操作電圧を受信し、第１入力端が第１端および第１０端に連結されるとともに、第２入力端が第５端ならびに前記第６端に連結される。
【０００９】
この発明の実施形態に従い、第１整流ユニットが第１ダイオードおよび第２ダイオードを備え、第２整流ユニットが第３ダイオードを備え、第１ダイオードのカソードが第１端に連結され、第１ダイオードのアノードならびに第２ダイオードのカソードが第２端に連結され、第２ダイオードのアノードが第３端に連結され、第３ダイオードのカソードが第４端に連結されるとともに、第３ダイオードのアノードが第５端に連結される。
【００１０】
この発明の実施形態に従い、第３整流ユニットが第４ダイオードを備え、第４整流ユニットが第５ダイオードおよび第６ダイオードを備え、第４ダイオードのアノードが第６端に連結され、第４ダイオードのカソードが第７端に連結され、第５ダイオードのアノードが第８端に連結され、第５ダイオードのカソードならびに第６ダイオードのアノードが第９端に連結され、かつ第６ダイオードのカソードが第１０端に連結される。
【００１１】
この発明の実施形態に従い、第１整流ユニットが第１ダイオードおよび第２ダイオードを備え、第２整流ユニットが第３ダイオードを備え、第１ダイオードのアノードが第１端に連結され、第１ダイオードのカソードならびに第２ダイオードのアノードが第２端に連結され、第２ダイオードのカソードが第３端に連結され、第３ダイオードのアノードが第４端に連結され、第３ダイオードのカソードが第５端に連結される。
【００１２】
この発明の実施形態に従い、第３整流ユニットが第４ダイオードを備え、第４整流ユニットが第５ダイオードおよび第６ダイオードを備え、第４ダイオードのカソードが第６端に連結され、第４ダイオードのアノードが第７端に連結され、第５ダイオードのカソードが第８端に連結され、第５ダイオードのアノードならびに第６ダイオードのカソードが第９端に連結されるとともに、第６ダイオードのアノードが第１０端に連結される。
【００１３】
この発明の実施形態に従い、整流阻止ダイプレクサーが、第１端、第２端、第３端および第４端を備える第１整流ユニットと、第５端、第６端、第７端ならびに第８端を備える第２整流ユニットとを含み、そのうち、スターターの両端がそれぞれ第１端および第３端に並列接続されるとともに、安定器がAC電源供給を介して第５端ならびに第７端に並列接続される。
【００１４】
この発明の実施形態に従い、LEDドライバーが第１入力端および第２入力端を備えて、操作電圧を受信し、第１入力端が第４端ならびに第８端に連結されるとともに、第２入力端が第２端および第６端に連結される。
【００１５】
この発明の実施形態に従い、第１整流ユニットが第１ダイオード、第２ダイオード、第３ダイオードおよび第４ダイオードを備え、第１ダイオードのアノードならびに第２ダイオードのカソードが第１端に連結され、第２ダイオードのアノードおよび第３ダイオードのアノードが第２端に連結されるとともに、前記第３ダイオードのカソードおよび前記第４ダイオードのアノードが前記第３端に連結され、第１ダイオードのカソードならびに第４ダイオードのカソードが第４端に連結される。
【００１６】
この発明の実施形態に従い、第２整流ユニットが第５ダイオード、第６ダイオード、第７ダイオードおよび第８ダイオードを備え、第５ダイオードのアノードならびに第６ダイオードのカソードが第５端に連結され、第６ダイオードのアノードおよび第７ダイオードのアノードが第６端に連結され、第７ダイオードのカソードならびに第８ダイオードのアノードが第７端に連結され、第５ダイオードのカソードならびに第８ダイオードのカソードが第８端に連結される。
【００１７】
上記したように、この発明は、簡略化されたLEDチューブおよびLEDランプの回路構造を提供する。整流阻止ダイプレクサー、LEDドライバー、LEDアレイの巧妙な配置を通じて、チューブの取り付けが容易である（easy-to-install）特性を保持する。
【発明の効果】
【００１８】
つまり、この発明の実施形態にかかるLEDチューブは、従来の蛍光チューブを取り替えるために使用できるとともに、ランプホルダー中にLEDチューブを取り付ける時、スターターを除去する又は安定器を短絡する必要もない。従って、ユーザーは、容易にLEDチューブを取り付けることができるため、エネルギー節約および環境保護の目的を達成する。
【図面の簡単な説明】
【００１９】
【図１】LEDチューブの従来の取り付けを示す概略的説明図である。
【図２】この発明の実施形態にかかるLEDランプを示す概略的説明図である。
【図３Ａ】図２の実施形態にかかるLEDランプを示す詳細な回路図の概略的説明図である。
【図３Ｂ】図３Ｂは、図３Ａの整流回路を示す概略的説明図である。
【図３Ｃ】図３Ｃは、図３Ａの整流回路を示す概略的説明図である。
【図４Ａ】図２の実施形態にかかるLEDランプを示す別の詳細な回路図の概略的説明図である。
【図４Ｂ】図４Ｂは、図４Ａの整流回路を示す概略的説明図である。
【図４Ｃ】図４Ｃは、図４Ａの整流回路を示す概略的説明図である。
【図５】この発明の別な実施形態にかかるLEDランプを示す回路図の概略的説明図である。
【図６Ａ】図５の実施形態にかかるLEDランプを示す詳細な回路図の概略的説明図である。
【図６Ｂ】図６Ｂは、図６Ａの整流回路を示す概略的説明図である。
【図６Ｃ】図６Ｃは、図６Ａの整流回路を示す概略的説明図である。
【発明を実施するための形態】
【００２０】
以下、この発明を実施するための形態を図面に基づいて説明する。
図２は、この発明の実施形態にかかるLED（light emitting diode）ランプを示す概略的説明図である。図２において、LEDランプ２００は、LEDチューブ２３０と、スターター２１０および安定器２２０を含むランプホルダーとを含む。LEDチューブ２３０は、ランプホルダー上に直接設置されることに適している。LEDチューブ２３０は、LEDアレイ２３４と、LEDドライバー２３６と、整流阻止ダイプレクサー（rectification-blok diplexer）とを含む。整流阻止ダイプレクサーは、整流ユニット２３２ａ〜２３２ｄから形成されることができるけれど、この発明は、この設定に限定されない。LEDドライバー２３６は、LEDアレイ２３４に連結される。LEDドライバー２３６は、操作電圧Vopのもとに操作されてLEDアレイ２３４を駆動する。整流阻止ダイプレクサー（整流ユニット２３２ａ〜２３２ｄから形成される）は、スターター２１０ならびに安定器２２０に個別に並列接続されるとともに、LEDドライバー２３６に連結される。LEDアレイ２３４がLEDドライバー２３６によって駆動される時、整流阻止ダイプレクサーがスターター２１０および安定器２２０を使用禁止にできると同時に、交流（AC）電源供給VACを受信かつ転換して、操作電圧VopをLEDドライバー２３６に提供する。このようにして、LEDドライバー２３６がLEDアレイ２３４を駆動できる。
【００２１】
整流阻止ダイプレクサーの詳細な構造が以下に記述されるけれど、この発明は、この設定に限定されない。整流ユニット２３２ａは、第１端T1と第２端T2と第３端T3とを含む。整流ユニット２３２ｂは、第４端T4と第５端T5とを含み、そのうち、第３端T3が第４端T4に連結される。整流ユニット２３２ｃは、第６端T6と第７端T7とを含む。整流ユニット２３２ｄは、第８端T8と第９端T9と第１０端T10とを含み、そのうち、第７端T7が第８端T8に連結される。スターター２１０の２端がそれぞれ第２端T2と第９端T9とに並列接続されるとともに、安定器２２０が交流（AC）電源供給VACを介して第４端T4と第７端T7とに並列接続される。安定器２２０および交流（AC）電源供給VACの位置が入れ替えられる。
【００２２】
LEDドライバー２３６が第１入力端S1と第２入力端S2とを有して、操作電圧Vopを受信する。第１入力端S1が第１端T1および第１０端T10に連結され、かつ第２入力端S2が第５端T5と第６端T6とに連結される。上述した整流阻止ダイプレクサーに基づいて、LEDチューブ２３０の第２端T2と第９端T9とがそれぞれスターター２１０の２端に並列接続される。LEDチューブ２３０の第４端T4が安定器２２０の一端に連結されるとともに、安定器２２０の他端が交流（AC）電源供給VACを介して第７端T7に並列接続される。
【００２３】
LEDチューブ２３０において、整流阻止ダイプレクサー中の整流ユニット２３２ａ〜２３２ｄは、交流（AC）電源供給VACを直流（direct current = DC）電源供給に変換することができる。LEDアレイ２３４が複数のLEDsから形成されるとともに、LEDドライバー２３６が最新（up-to-date）技術を備えるLEDドライバーであってもよい。LEDドライバー２３６が第１入力端S1および第２入力端S2を介して整流されたDC電源供給を受信でき、かつLEDアレイ２３４を駆動する。この発明にかかる実施形態の重点が、LEDアレイ２３４またはLEDドライバー２３６の詳細な構造ではないため、前記した構造を改めて説明しない。また、LEDチューブ２３０が蛍光チューブの電極柱に類似した構造を含んで、第２端T2および第４端T4が第１対の電極柱を形成し、第７端T7および第９端T9が第２対の電極柱を形成する。LEDチューブ２３０が以下の方式で取り付けられる。ユーザーがLEDチューブ２３０の電極柱をランプホルダー（図示せず）に挿入するとともに、LEDチューブ２３０が定位になるまで回転させる。従って、ユーザーが容易にチューブを取り替えられる。
【００２４】
注意すべきことは、LEDチューブ２３０が従来の蛍光ランプに取り替えられる時、LEDチューブ２３０をランプホルダーに取り付ける際にスターター２１０を除去する又は安定器２２０を短絡させる必要がないことである。
【００２５】
上記実施形態中に教示されることに従い、図３Ａは、図２の実施形態にかかるLEDランプを示す詳細な回路図の概略的説明図である。図３Ａにおいて、LEDランプ３００がLEDランプ２００のそれと同じ構造を有する。整流阻止ダイプレクサーの詳細な構造を説明する別な実施形態は、以下に記述する通りであるものの、この発明は、この設定に限定されない。整流ユニット２３２ａがダイオードD1とダイオードD2とを含む。整流ユニット２３２ｂがダイオードD3を含む。ダイオードD1のカソード（陰極）が第１端T1に連結され、ダイオードD1のアノード（陽極）およびダイオードD2のカソードが第２端T2に連結され、ダイオードD2のカソードが第２端T2に連結され、ダイオードD2のアノードが第３端T3に連結され、ダイオードD3のカソードが第４端T4に連結されるとともに、ダイオードD3のアノードが第５端T5に連結される。整流ユニット２３２ｃがダイオードD4を含む。整流ユニット２３２ｄがダイオードD5とダイオードD6とを含む。ダイオードD4のアノードが第６端T6に連結され、ダイオードＤ４のカソードが第7端Ｔ７に連結され、ダイオードD5のアノードが第８端T8に連結され、ダイオードD5のカソードおよびダイオードD6のアノードが第９端T9に連結され、かつダイオードD6のカソードが第１０端T10に連結される。
【００２６】
図３Ｂおよび図３Ｃは、図３Ａの整流回路を示す概略的説明図である。図３Ｂにおいて、交流（AC）電源供給VACの整流プロセス中の接続経路LOOP1（ループ１）は、以下の通りである。その経路が入力された交流（AC）電源供給VACからスタートして、安定器２２０、整流ユニット２３２ａ、LEDドライバー２３６、整流ユニット２３２ｃを経てから、入力された交流（AC）電源供給VACへ戻る。次に、図３Ｃにおいて、交流（AC）電源供給VACの整流プロセス中の別な接続経路LOOP2（ループ２）は、以下のようである。その経路が入力された交流（AC）電源供給VACからスタートして、整流ユニット２３２ｄ、LEDドライバー２３６、整流ユニット２３２ｂ、安定器２２０を経てから、入力された交流（AC）電源供給VACへ戻る。交流（AC）電源供給VACが位相変化であり、かつ安定的位相を有する時、スターター２１０両端の電圧変化が所定値（例えば、設定値が２Ｖであるが、前記設定値は、この数値に限定されない）よりも小さい。これによりスターター２１０が起動不能となり、安定器２２０を無効にする。従って、整流回路（整流ユニット）２３２ａ＆２３２ｄがスターター２１０の両端において設定値より小さくなるように変化させるとともに、電圧が非常に小さくなる。このようにして、回路短絡に類似する効果が生成され、スターター２１０および安定器２２０が無効になる。図３Ｂおよび図３Ｃの説明ならびに本実施形態の記述を通して、交流（AC）電源供給VACの変化が２つの接続経路LOOP1 &  LOOP2を導く。さらに、交流（AC）電源供給VACが整流ユニット２３２ａ-２３２ｄによって整流された後、操作電圧Vopが生成される。操作電圧Vopは、均一な電流方向を有する交流（AC）電源供給であるとともに、LEDドライバー２３６がLEDアレイ２３４を駆動するよう提供される。
【００２７】
上記した実施形態中の教示に従い、図４Ａは、図２の実施形態にかかるLEDランプを示す別の詳細な回路図の概略的説明図である。図４Ａにおいて、LEDランプ４００は、LEDランプ２００と同じ構造を有するとともに、LEDランプ４００は、LEDランプ３００のそれに類似する構造を有する。整流阻止ダイプレクサーの詳細な構造を説明する別な実施形態が以下に記述されるものの、この発明は、この設定に限定されない。整流ユニット２３２ａは、ダイオードD1とダイオードD2とを含む。整流ユニット２３２ｂがダイオードD3を含む。ダイオードD1のアノード（陽極）が第１端T1に連結され、ダイオードD1のカソード（陰極）およびダイオードD2のアノードが第２端T2に連結され、ダイオードD2のカソードが第３端T3に連結され、ダイオードD3のアノードが第４端T4に連結されるとともに、ダイオードD3のカソードが第５端T5に連結される。整流ユニット２３２ｃがダイオードD4を含む。整流ユニット２３２ｄがダイオードD5とダイオードD6とを含む。ダイオードD4のカソードが第６端T6に連結され、ダイオードD4のアノードが第７端T7に連結され、ダイオードD5のアノードが第８端T8に連結され、かつダイオードD5のアノードおよびダイオードＤ６のカソードが第９端T9に連結されるとともに、ダイオードD6のアノードが第１０端T10に連結される。そのような配置を通じて、上記実施形態に類似する効果がまた達成される。
【００２８】
図４Ｂおよび図４Ｃは、図４Ａの整流回路を示す概略的説明図である。図４Ｂにおいて、交流（AC）電源供給VACの整流プロセス中の接続経路LOOP3（ループ３）は、以下の通りである。その経路が交流（AC）電源供給VACからスタートして、整流ユニット２３２ｃ、LEDドライバー２３６、整流ユニット２３２ａ、安定器２２０を経てから、入力された交流（AC）電源供給VACへ戻る。次に、図４Ｃにおいて、交流（AC）電源供給VACの整流プロセス中の接続経路LOOP4（ループ４）は、以下のようである。その経路が入力された交流（AC）電源供給VACからスタートして、安定器２２０、整流ユニット２３２ｂ、LEDドライバー２３６、整流ユニット２３２ｄを経てから、入力された交流（AC）電源供給VACへ戻る。交流（AC）電源供給VACが位相変化であり、かつ安定的位相を有する時、スターター２１０両端の電圧変化が所定値（例えば、設定値が２Ｖであるが、前記設定値は、この数値に限定されない）よりも小さい。これによりスターター２１０が起動不能となり、安定器２２０を無効にする。従って、整流回路（整流ユニット）２３２ａ＆２３２ｄがスターター２１０の両端において回路短絡に類似する効果を生成し、スターター２１０および安定器２２０が無効になる。図４Ｂおよび図４Ｃの説明ならびに本実施形態の記述を通して、交流（AC）電源供給VACの変化が２つの接続経路LOOP3 &  LOOP4を導く。さらに、交流（AC）電源供給VACが整流ユニット２３２ａ-２３２ｄによって整流された後、操作電圧Vopが生成される。操作電圧Vopは、均一な電流方向を有する交流（AC）電源供給であるとともに、LEDドライバー２３６がLEDアレイ２３４を駆動するよう提供される。
【００２９】
しかし、この実施形態および図３Ａ間の差異は、整流ユニット２３２ａ-２３２ｄ中の各ダイオードの組み合わせ及び配置にある。また、図３Ａならびに図４Ａ中のLEDチューブ２３０が蛍光チューブの電極柱に類似した構造を含むため、第２端T2および第４端T4が第１対の電極柱を形成するとともに、第７端T7ならびに第９端T9が第２対の電極柱を形成する。図３Ａおよび図４Ａは、選択された幾つかの実施形態に過ぎないとともに、この発明は、これらの設定に限定されない。
【００３０】
図５は、この発明の別な実施形態にかかるLEDランプを示す回路図の概略的説明図である。図５において、LEDランプ５００は、LEDチューブ５３０と、スターター５１０および安定器５２０を含むランプホルダーとを含む。LEDチューブ５３０は、ランプホルダー上に直接取り付けることに適している。LEDチューブ５３０は、LEDアレイ５３４と、LEDドライバー５３６と、整流阻止ダイプレクサーとを含む。整流阻止ダイプレクサーは、整流ユニット５３２ａ＆５３２ｂによって形成されるけれど、この発明は、この設定に限定されない。LEDドライバー５３６がLEDアレイ５３４に連結される。LEDドライバー５３６は、操作電圧Vopのもとで操作されてLEDアレイ５３４を駆動する。整流阻止ダイプレクサー（整流ユニット５３２ａ＆５３２ｂにより形成される）は、スターター５１０および安定器５２０に個別に並列接続されるとともに、LEDドライバー５３６に連結される。整流阻止ダイプレクサーがスターター５１０ならびに安定器５２０を無効にすると同時に、交流（AC）電源供給VACを受信かつ変換して、操作電圧VopをLEDドライバー５３６に提供する。かくして、LEDドライバー５３６がLEDアレイ５３４を駆動できる。
【００３１】
この実施形態にかかる整流阻止ダイプレクサーの詳細な構造は、下記の通りであるものの、この発明は、この設定に限定されない。整流ユニット５３２ａが第１端T1と第２端T2と第３端T3と第４端T4とを含む。整流ユニット５３２ｂが第５端T5と第６端T6と第７端T7と第８端T8とを含む。スターター５１０の両端がそれぞれ第１端T1と第３端T3とに並列接続されるとともに、安定器５２０が交流（AC）電源供給VACを介して第５端T5と第７端T7とに並列接続される。安定器５２０と交流（AC）電源供給VACとが場所を入れ替える。
【００３２】
LEDドライバー５３６が第１入力端S1と第２入力端S2とを有して、操作電圧Vopを受信する。第１入力端S1が第４端T4と第８端T8と連結され、第２入力端S2が第２端T2と第６端T6とに連結される。上記した整流阻止ダイプレクサーに従い、LEDチューブ５３０の第１端T1と第３端T3とがそれぞれスターター５１０の両端に並列接続される。LEDチューブ５３０のが第５端T5が安定器５２０の一端に連結されるとともに、安定器５２０の他端が交流（AC）電源供給VACを介して第７端T7に並列接続される。
【００３３】
LEDチューブ５３０において、整流阻止ダイプレクサー中の整流ユニット５３２ａ＆５３２ｂが交流（AC）電源供給VACを直流（DC）電源供給へ変換できる。LEDアレイ５３４が複数のダイオードによって形成される。LEDドライバー５３６が最新（up-to-date）技術を備えるLEDドライバーであってもよい。LEDドライバー５３６が第１入力端S1および第２入力端S2を介して整流された直流（DC）電源供給を受信でき、LEDアレイ５３４を駆動する。この発明の主要な目的は、LEDアレイ５３４およびLEDドライバー５３６の詳細な構造でないので、前記構造を改めて記述しない。また、LEDチューブ５３０が蛍光チューブの電極柱に似た構造を含んで、第１端T1と第５端T5とが電極柱の第１対を形成するとともに、第３端T3と第７端T7とが電極柱の第２対を形成する。LEDチューブ５３０が以下の方式で取り付けられる。ユーザーがLEDチューブ５３０の電極柱をランプホルダー（図示せず）中に挿入するとともに、LEDチューブ５３０をその定位置まで回転させる。従って、ユーザーは、簡単にチューブを取り替えることができる。
【００３４】
注意すべきことは、LEDチューブ５３０が従来の蛍光ランプに取り替えられる時、LEDチューブ５３０がランプホルダー中に取り付けられる際にスターター５１０を除去することも安定器５２０を短絡させることも必要ないことである。
【００３５】
前記実施形態中の教示に従い、図６Ａは、図５の実施形態にかかるLEDランプを示す詳細な回路図の概略的説明図である。図６Ａにおいて、LEDランプ６００がLEDランプ５００と同じ構造を有する。整流阻止ダイプレクサーの詳細な構造を説明する別な実施形態は、以下に記述する通りであるものの、この発明は、この設定に限定されない。整流ユニット５３２ａがダイオードD1-D4を含み、そのうち、ダイオードD1のアノード（陽極）およびダイオードD2のカソード（陰極）が第１端T1に連結され、ダイオードD2のアノードならびにダイオードD3のアノードが第２端T2に連結され、ダイオードD3のカソードおよびダイオードD4のアノードが第３端T3に連結され、ダイオードD1のカソードならびにダイオードD4のカソードが第４端T4に連結される。整流ユニット５３２ｂがダイオードD5-D8を含み、そのうち、ダイオードD5のアノードおよびダイオードD6のカソードが第５端T5に連結され、ダイオードD6のアノードならびにダイオードD7のアノードが第６端T6に連結され、ダイオードD7のカソードおよびダイオードD8のアノードが第７端T7に連結され、ダイオードD5のカソードとダイオードD8のカソードが第8端T8に連結される。図６Ａ中のLEDランプ６００選択された実施形態に過ぎないとともに、この発明は、この設定に限定されない。
【００３６】
図６Ｂおよび図６Ｃは、図６Ａの整流回路を示す概略的説明図である。図６Ｂにおいて、交流（AC）電源供給VACの整流プロセス中の接続経路LOOP5（ループ５）は、以下の通りである。その経路が入力された交流（AC）電源供給VACからスタートして、安定器５２０、ダイオードD5、LEDドライバー５３６、ダイオードD7を通過するとともに、入力され交流（AC）電源供給VACへ戻る。次に、図６Ｃにおいて、別な交流（AC）電源供給VACの整流プロセス中の接続経路LOOP6（ループ６）は、以下の通りである。その経路が交流（AC）電源供給VACからスタートして、ダイオードD8、LEDドライバー５３６、ダイオードD6、安定器５２０を通過するとともに、入力された交流（AC）電源供給VACへ戻る。図６Ｂおよび図６Ｃの説明および本実施形態の記述を通じて、整流ユニット５３２ａ中の各ダイオードがＯＦＦ（オフ）であるため、オープン回路の効果がスターター５１０の両端において発生する。これによって、スターター５１０が使用可能にできなくなり、スターター５１０および安定器５２０を無効にする。交流（AC）電源供給VACにおける変化が２つの接続経路接続経路LOOP5＆LOOP6を導く。さらに、交流（AC）電源供給VACが整流ユニット５３２ｂにより整流された後、操作電圧Vopが生成される。操作電圧Vopは、均一な電流方向を有する交流（AC）電源であるとともに、LEDドライバー５３６に提供されてLEDアレイ５３４を駆動できる。
【００３７】
「発光ダイオードチューブおよびそれを使用した発光ダイオードランプ」という、この発明中の各実施形態に基づくLEDチューブは、蛍光チューブの電極柱に似た構造を有することができる。
【００３８】
この発明の実施形態にかかるLEDチューブを一例として挙げれば、スターターおよび安定器を有する全ての従来のランプホルダーの回路は、回路を調整することなく、この発明の実施形態にかかるLEDチューブを組み立てることができる。
【００３９】
以上のように、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００４０】
本発明は、LEDチューブをランプホルダーに挿入するとき、スターターを除去する、或いは安定器を短絡する必要なしに、従来の蛍光灯と取り替えることができるLEDチューブに関するものである。それによりユーザーは、LEDチューブを簡単に設置することができ、省エネルギーと環境保護の目的を達成することができる。
【符号の説明】
【００４１】
１００  発光ダイオード（light-emitting diode = ＬＥＤ）ランプ
１１０  スターター
１２０  安定器
１３０  ＬＥＤチューブ
２００，３００，４００，５００，６００  ＬＥＤランプ
２１０，５１０  スターター
２２０，５２０  安定器
２３０，５３０  発光ダイオード（light-emitting diode = ＬＥＤ）チューブ
２３２ａ-２３２ｄ，５３２ａ，５３２ｂ  整流阻止ダイプレクサー中の整流ユニット
２３４，５３４  ＬＥＤアレイ
２３６，５３６  ＬＥＤドライバー
D1-D8  ダイオード
LOOP1-LOOP6（ループ１〜ループ６）  接続経路
S1  第１入力端
S2  第２入力端
T1-T10  第１端〜第１０端
VAC 直流（AC）電源供給
Vop  操作電源
［項目１］
スターターおよび安定器を含むランプホルダー中に取り付けられることに適した発光ダイオード（light-emitting diode = ＬＥＤ）チューブであって、前記ＬＥＤチューブが：
ＬＥＤアレイと；
前記ＬＥＤアレイに連結され、操作電圧のもとに操作されて前記ＬＥＤアレイを駆動するＬＥＤドライバーと；
整流阻止ダイプレクサーであり、前記スターターおよび前記安定器に個別に並列接続されるとともに、前記ＬＥＤドライバーに連結されて、前記ＬＥＤドライバーが前記ＬＥＤアレイを駆動する時、前記整流阻止ダイプレクサーが前記スターターならびに前記安定器を無効にすると同時に、交流（alternating current = AC）電源供給を受信かつ変換して、前記操作電圧を前記ＬＥＤドライバーに提供する、整流阻止ダイプレクサーと
を備えるＬＥＤチューブ。
［項目２］
前記整流阻止ダイプレクサーが：
第１端、第２端および第３端を備える第１整流ユニットと；
第４端ならびに第５端を備え、前記第３端が前記第４端に連結される第２整流ユニットと；
第６端および第７端を備える第３整流ユニットと；
第８端、第９端ならびに第１０端を備え、そのうち、前記第７端が前記第８端に連結される第４整流ユニットとを備え、
そのうち、前記スターターの両端がそれぞれ前記第２端および前記第９端に並列接続されるとともに、前記安定器が前記AC電源供給を介して前記第４端ならびに前記第７端に並列接続される、項目１記載のＬＥＤチューブ。
［項目３］
前記ＬＥＤドライバーが、第１入力端および第２入力端を備えて、前記操作電圧を受信し、前記第１入力端が前記第１端および前記第１０端に連結されるとともに、前記第２入力端が前記第５端ならびに前記第６端に連結される項目２記載のＬＥＤチューブ。
［項目４］
前記第１整流ユニットが第１ダイオードおよび第２ダイオードを備え、前記第２整流ユニットが第３ダイオードを備え、前記第１ダイオードのカソードが前記第１端に連結され、前記第１ダイオードのアノードならびに前記第２ダイオードのカソードが前記第２端に連結され、前記第２ダイオードのアノードが前記第３端に連結され、前記第３ダイオードのカソードが前記第４端に連結されるとともに、前記第３ダイオードのアノードが前記第５端に連結される項目２記載のＬＥＤチューブ。
［項目５］
前記第３整流ユニットが第４ダイオードを備え、前記第４整流ユニットが第５ダイオードおよび第６ダイオードを備え、前記第４ダイオードのアノードが前記第６端に連結され、前記第４ダイオードのカソードが前記第７端に連結され、前記第５ダイオードのアノードが前記第８端に連結され、前記第５ダイオードのカソードならびに前記第６ダイオードのアノードが前記第９端に連結され、かつ前記第６ダイオードのカソードが前記第１０端に連結される項目４記載のＬＥＤチューブ。
［項目６］
前記第１整流ユニットが第１ダイオードおよび第２ダイオードを備え、前記第２整流ユニットが第３ダイオードを備え、前記第１ダイオードのアノードが前記第１端に連結され、前記第１ダイオードのカソードならびに前記第２ダイオードのアノードが前記第２端に連結され、前記第２ダイオードのカソードが前記第３端に連結され、前記第３ダイオードのアノードが前記第４端に連結され、前記第３ダイオードのカソードが前記第５端に連結される項目２記載のＬＥＤチューブ。
［項目７］
前記第３整流ユニットが第４ダイオードを備え、前記第４整流ユニットが第５ダイオードおよび第６ダイオードを備え、前記第４ダイオードのカソードが前記第６端に連結され、前記第４ダイオードのアノードが前記第７端に連結され、前記第５ダイオードのカソードが前記第８端に連結され、前記第５ダイオードのアノードならびに前記第６ダイオードのカソードが前記第９端に連結され、かつ前記第６ダイオードのアノードが前記第１０端に連結される項目６記載のＬＥＤチューブ。
［項目８］
前記整流阻止ダイプレクサーが：
第１端、第２端、第３端および第４端を備える第１整流ユニットと；
第５端、第６端、第７端ならびに第８端を備える第２整流ユニットとを含み、
そのうち、前記スターターの両端がそれぞれ前記第１端および前記第３端に並列接続されるとともに、前記安定器が前記AC電源供給を介して前記第５端ならびに前記第７端に並列接続される項目１記載のＬＥＤチューブ。
［項目９］
前記ＬＥＤドライバーが第１入力端および第２入力端を備えて、前記操作電圧を受信し、前記第１入力端が前記第４端ならびに前記第８端に連結され、かつ前記第２入力端が前記第２端および前記第６端に連結される項目８記載のＬＥＤチューブ。
［項目１０］
前記第１整流ユニットが第１ダイオード、第２ダイオード、第３ダイオードおよび第４ダイオードを備え、前記第１ダイオードのアノードならびに前記第２ダイオードのカソードが前記第１端に連結され、前記第２ダイオードのアノードおよび前記第３ダイオードのアノードが前記第２端に連結されるとともに、前記第３ダイオードのカソードおよび前記第４ダイオードのアノードが前記第３端に連結され、前記第１ダイオードのカソードならびに前記第４ダイオードのカソードが前記第４端に連結される項目８記載のＬＥＤチューブ。
［項目１１］
前記第２整流ユニットが第５ダイオード、第６ダイオード、第７ダイオードおよび第８ダイオードを備え、前記第５ダイオードのアノードならびに前記第６ダイオードのカソードが前記第５端に連結され、前記第６ダイオードのアノードおよび前記第７ダイオードのアノードが前記第６端に連結され、前記第７ダイオードのカソードおよび前記第８ダイオードのアノードが前記第７端に連結され、前記第５ダイオードのカソードならびに前記第８ダイオードのカソードが前記第８端に連結される項目１０記載のＬＥＤチューブ。
［項目１２］
スターターおよび安定器を備えるランプホルダーと；
前記ランプホルダー中に取り付けられることに適したＬＥＤチューブとを含むＬＥＤランプであって、そのうち、前記ＬＥＤチューブが：
ＬＥＤアレイと；
前記ＬＥＤアレイに連結され、操作電圧のもとに操作されて前記ＬＥＤアレイを駆動するＬＥＤドライバーと；
前記スターターおよび前記安定器に個別に並列接続されるとともに、前記ＬＥＤドライバーに連結される整流阻止ダイプレクサーであって、前記ＬＥＤドライバーが前記ＬＥＤアレイを駆動する時、前記整流阻止ダイプレクサーが前記スターターならびに安定器を無効にすると同時に、交流（alternating current = AC）電源供給を受信かつ変換して、前記操作電圧を前記ＬＥＤドライバーに提供する、整流阻止ダイプレクサーと
を備えるＬＥＤチューブとを含むＬＥＤランプ。
［項目１３］
前記整流阻止ダイプレクサーが：
第１端、第２端および第３端を備える第１整流ユニットと；
第４端ならびに第５端を備え、前記第３端が前記第４端に連結される第２整流ユニットと；
第６端および第７端を備える第３整流ユニットと；
第８端、第９端ならびに第１０端を備え、そのうち、前記第７端が前記第８端に連結される第４整流ユニットとを備え、
そのうち、前記スターターの両端がそれぞれ前記第２端および前記第９端に並列接続されるとともに、前記安定器が前記AC電源供給を介して前記第４端ならびに前記第７端に並列接続される、項目１２記載のＬＥＤランプ。
［項目１４］
前記ＬＥＤドライバーが、第１入力端および第２入力端を備えて、前記操作電圧を受信し、前記第１入力端が前記第１端および前記第１０端に連結され、かつ前記第２入力端が前記第５端ならびに前記第６端に連結される項目１３記載のＬＥＤランプ。
［項目１５］
前記第１整流ユニットが第１ダイオードおよび第２ダイオードを備え、前記第２整流ユニットが第３ダイオードを備え、前記第１ダイオードのカソードが前記第１端に連結され、前記第１ダイオードのアノードならびに前記第２ダイオードのカソードが前記第２端に連結され、前記第２ダイオードのアノードが前記第３端に連結され、前記第３ダイオードのカソードが前記第４端に連結されるとともに、前記第３ダイオードのアノードが前記第５端に連結される項目１３記載のＬＥＤランプ。
［項目１６］
前記第３整流ユニットが第４ダイオードを備え、前記第４整流ユニットが第５ダイオードおよび第６ダイオードを備え、前記第４ダイオードのアノードが前記第６端に連結され、前記第４ダイオードのカソードが前記第７端に連結され、前記第５ダイオードのアノードが前記第８端に連結され、前記第５ダイオードのカソードならびに前記第６ダイオードのアノードが前記第９端に連結され、かつ前記第６ダイオードのカソードが前記第１０端に連結される項目１５記載のＬＥＤランプ。
［項目１７］
前記第１整流ユニットが第１ダイオードおよび第２ダイオードを備え、前記第２整流ユニットが第３ダイオードを備え、前記第１ダイオードのアノードが前記第１端に連結され、前記第１ダイオードのカソードならびに前記第２ダイオードのアノードが前記第２端に連結され、前記第２ダイオードのカソードが前記第３端に連結され、前記第３ダイオードのアノードが前記第４端に連結され、前記第３ダイオードのカソードが前記第５端に連結される項目１３記載のＬＥＤランプ。
［項目１８］
前記第３整流ユニットが第４ダイオードを備え、前記第４整流ユニットが第５ダイオードおよび第６ダイオードを備え、前記第４ダイオードのカソードが前記第６端に連結され、前記第４ダイオードのアノードが前記第７端に連結され、前記第５ダイオードのカソードが前記第８端に連結され、前記第５ダイオードのアノードならびに前記第６ダイオードのカソードが前記第９端に連結され、かつ前記第６ダイオードのアノードが前記第１０端に連結される項目１７記載のＬＥＤランプ。
［項目１９］
前記整流阻止ダイプレクサーが：
第１端、第２端、第３端および第４端を備える第１整流ユニットと；
第５端、第６端、第７端ならびに第８端を備える第２整流ユニットとを含み、
そのうち、前記スターターの両端がそれぞれ前記第１端および前記第３端に並列接続されるとともに、前記安定器が前記AC電源供給を介して前記第５端ならびに前記第７端に並列接続される項目１２記載のＬＥＤランプ。
［項目２０］
前記ＬＥＤドライバーが第１入力端および第２入力端を備え、前記操作電圧を受信して、前記第１入力端が前記第４端ならびに前記第８端に連結され、かつ前記第２入力端が前記第２端および前記第６端に連結される項目１９記載のＬＥＤランプ。
［項目２１］
前記第１整流ユニットが第１ダイオード、第２ダイオード、第３ダイオードおよび第４ダイオードを備え、前記第１ダイオードのアノードならびに前記第２ダイオードのカソードが前記第１端に連結され、前記第２ダイオードのアノードおよび前記第３ダイオードのアノードが前記第２端に連結されるとともに、前記第３ダイオードのカソードおよび第４ダイオードのアノードが前記第３端に連結され、前記第１ダイオードのカソードならびに前記第４ダイオードのカソードが前記第４端に連結される項目１９記載のＬＥＤランプ。
［項目２２］
前記第２整流ユニットが第５ダイオード、第６ダイオード、第７ダイオードおよび第８ダイオードを備え、前記第５ダイオードのアノードならびに前記第６ダイオードのカソードが前記第５端に連結され、前記第６ダイオードのアノードおよび前記第７ダイオードのアノードが前記第６端に連結され、前記第７ダイオードのカソードおよび第８ダイオードのアノードが前記第７端に連結され、前記第５ダイオードのカソードならびに前記第８ダイオードのカソードが前記第８端に連結される項目２１記載のＬＥＤランプ。
【図１】
0005495140.tif 000002
【図２】
0005495140.tif 000003
【図３Ａ】
0005495140.tif 000004
【図３Ｂ】
0005495140.tif 000005
【図３Ｃ】
0005495140.tif 000006
【図４Ａ】
0005495140.tif 000007
【図４Ｂ】
0005495140.tif 000008
【図４Ｃ】
0005495140.tif 000009
【図５】
0005495140.tif 000010
【図６Ａ】
0005495140.tif 000011
【図６Ｂ】
0005495140.tif 000012
【図６Ｃ】
0005495140.tif 000013